Podtech/llm-jp-corpus-v4-ja_patent huggingface dataset:
【手続補正書】
【提出日】平成15年10月10日(2003.10.10)
【手続補正１】
【補正対象書類名】明細書
【補正対象項目名】特許請求の範囲
【補正方法】変更
【補正の内容】
【特許請求の範囲】
【請求項１】
複数の走査配線と複数の変調配線とを有する表示器を駆動するための表示器の駆動方法において、
水平走査期間毎に、前記複数の走査配線から選択された走査配線に走査選択信号を供給する工程、
水平走査期間毎に、前記複数の変調配線に画像データに基づいて変調された変調信号を供給する工程、
を含み、
画像データに基づいて少なくとも２つの水平走査期間及びそれら水平走査期間における前記走査選択信号の選択期間を、垂直走査期間内で、互いに異ならしめるか、
少なくとも２つの行上の画素の輝度を異ならせるべく、それらに対応した少なくとも２つの水平走査期間及び／又はそれら水平走査期間における前記走査選択信号の選択期間を、垂直走査期間内で、互いに異ならしめることを特徴とする駆動方法。
【請求項２】
水平走査期間に前記変調配線に供給される変調信号の最大継続期間に対応した長さになるように、当該水平走査期間に前記走査配線に供給される前記走査選択信号の選択期間を定める請求項１記載の駆動方法。
【請求項３】
水平走査期間を設定し、設定された水平走査期間に合わせて、当該水平走査期間に前記走査配線に供給される前記走査選択信号の選択期間と、当該水平走査期間に前記変調配線に供給される変調信号の継続期間を定める請求項１記載の駆動方法。
【請求項４】
選択された走査配線上の各画素における、表示輝度又は補正画像データの最大値に応じて、当該走査配線に供給される前記走査選択信号の選択期間を定める請求項１記載の駆動方法。
【請求項５】
前記水平走査期間の和によって定まる表示画像のフレーム走査期間を、少なくとも複数のフレーム走査期間に亘って一定の値に維持する請求項１〜４のうち何れかに記載の駆動方法。
【請求項６】
前記水平走査期間に下限値を定め、当該水平走査期間に前記変調配線に供給される変調信号の最大継続期間が該下限値に満たない場合に、当該変調信号にブランキング期間を追加する請求項１〜４のうち何れかに記載の駆動方法。
【請求項７】
前記水平走査期間に下限値を定め、当該水平走査期間における前記走査選択信号の選択期間が該下限値に満たない場合に、当該走査選択信号にブランキング期間を追加する請求項１〜４のうち何れかに記載の駆動方法。
【請求項８】
前記水平走査期間に上限値を定め、当該水平走査期間に前記変調配線に供給される変調信号の最大継続期間が該上限値を越えないように、前記変調信号の継続時間を定める請求項１〜４のうち何れかに記載の駆動方法。
【請求項９】
前記画像データは入力された映像信号の輝度データと補正データとを含み、これら輝度データ及び補正データに応じて、少なくとも前記変調信号の継続時間が定められる請求項１〜４のうち何れかに記載の駆動方法。
【請求項１０】
入力された映像信号の輝度データ及び補正データに応じて定められた各水平走査期間のゲイン調整及び／又は上限値調整を行う請求項１〜４のうち何れかに記載の駆動方法。
【請求項１１】
前記水平走査期間の和によって定まる表示画像の垂直走査期間が所定の値を超えないように、入力された映像信号の輝度データ及び補正データに応じて定められた各水平走査期間のゲイン調整を行う請求項１〜４のうち何れかに記載の駆動方法。
【請求項１２】
前記表示器の画面中央の走査配線上の画素の水平走査期間が、少なくとも、前記画面上方又は下方にある別の走査配線上の画素の水平走査期間よりも長い請求項１〜４のうち何れかに記載の駆動方法。
【請求項１３】
前記画像データを、各水平走査期間に対応して設定された倍率でゲイン調整した後に、変調駆動回路に供給する請求項１〜４のうち何れかに記載の駆動方法。
【請求項１４】
表示装置において、
複数の走査配線と複数の変調配線とを有する表示器と、
水平走査期間毎に、前記複数の走査配線から選択された走査配線に走査選択信号を供給する走査駆動回路と、
水平走査期間毎に、前記複数の変調配線に画像データに基づいて変調された変調信号を供給する変調駆動回路と、
を有し、
画像データに基づいて少なくとも２つの水平走査期間及びそれら水平走査期間における前記走査選択信号の選択期間を、垂直走査期間内において、互いに異ならしめるか、
少なくとも２つの行上の画素の輝度を異ならせるべく、それらに対応した少なくとも２つの水平走査期間及び／又はそれら水平走査期間における前記走査選択信号の選択期間を、垂直走査期間内で、互いに異ならしめるように前記走査駆動回路を制御する駆動制御回路を備えたことを特徴とする表示装置。
【請求項１５】
複数の走査配線と複数の変調配線とを有する表示器を備える表示装置の駆動制御方法であって、
水平走査期間毎に、前記複数の走査配線から選択された走査配線に走査選択信号を供給する工程、
水平走査期間毎に、前記複数の変調配線に画像データに基づいて変調された変調信号を供給する工程、
画像データに基づいて少なくとも２つの水平走査期間及びそれら水平走査期間における前記走査選択信号の選択期間を、垂直走査期間内において、互いに異ならしめるか、
少なくとも２つの行上の画素の輝度を異ならせるべく、それらに対応した少なくとも２つの水平走査期間及び／又はそれら水平走査期間における前記走査選択信号の選択期間を、垂直走査期間内で、互いに異ならしめるように、
前記水平走査期間を決定するためのタイミング信号を生成する工程、
行毎の画素の最大画像データと平均画像データから水平輝度レベル係数（Ａｈ）を求め、
水平輝度レベル係数（Ａｈ）及び係数の上限値（Ａｌ）から輝度レベル係数の最小値（Ａｍ）を求め、
各画素の画像データを前記輝度レベル係数の最小値（Ａｍ）を基に補正する工程、
を含むことを特徴とする駆動制御方法。
【請求項１６】
複数の走査配線と複数の変調配線とを有する表示器を備える表示装置の駆動制御方法であって、
水平走査期間毎に、前記複数の走査配線から選択された走査配線に走査選択信号を供給する工程、
水平走査期間毎に、前記複数の変調配線に画像データに基づいて変調された変調信号を供給する工程、
画像データに基づいて少なくとも２つの水平走査期間及びそれら水平走査期間における前記走査選択信号の選択期間を、垂直走査期間内において、互いに異ならしめるか、
少なくとも２つの行上の画素の輝度を異ならせるべく、それらに対応した少なくとも２つの水平走査期間及び／又はそれら水平走査期間における前記走査選択信号の選択期間を、垂直走査期間内で、互いに異ならしめるように、
前記水平走査期間を決定するためのタイミング信号を生成する工程、
行毎の画素の最大画像データと平均画像データから水平輝度レベル係数（Ａｈ）を求め、
列毎の画素の最大画像データと平均画像データから垂直輝度レベル係数（Ａｖ）を求め、
これら水平輝度レベル係数（Ａｈ）、垂直輝度レベル係数（Ａｖ）及び係数の上限値（Ａｌ）から輝度レベル係数の最小値（Ａｍ）を求め、
各画素の画像データを前記輝度レベル係数の最小値（Ａｍ）を基に補正する工程、
を含むことを特徴とする駆動制御方法。
【手続補正書】
【提出日】平成15年11月13日(2003.11.13)
【手続補正１】
【補正対象書類名】明細書
【補正対象項目名】特許請求の範囲
【補正方法】変更
【補正の内容】
【特許請求の範囲】
【請求項１】
診療報酬明細書のデータ形式を、診療報酬明細書を受付けるシステムに適合するように編集する診療報酬明細書の処理システムであって、
診療報酬明細書の罫線情報、テキスト情報からなる編集用データを取得する手段と、
前記罫線情報から前記診療報酬明細書の書式を認識すると共に、前記テキスト情報に含まれるテキストについてコード変換すべきテキストを予め対応付けられたコード情報に変換する手段と、前記罫線情報、変換後のコード情報を出力する手段とを有することを特徴とする診療報酬明細書の処理システム。
【請求項２】
前記診療報酬明細書の書式の認識は、記憶装置に保存されている枠情報と、診療報酬明細書の項目と前記枠情報とを関連付けてコード変換すべきテキストを特定するためのリンク情報とを参照するように構成したことを特徴とする請求項１に記載の診療報酬明細書の処理システム。
【請求項３】
テキストをコード変換するためのテキストをコードに対応づけする手段を備え、コード変換すべきテキストに該当するコードがない場合に、他のテキスト、及び／又は、コードを入力する入力画面と、入力された前記テキスト、及び／又は、前記コードを、前記テキストをコードに対応づけする手段に登録するための登録画面とを出力する表示装置を備えたことを特徴とする請求項１又は請求項２に記載の診療報酬明細書の処理システム。
【請求項４】
診療報酬明細書のデータ形式を、診療報酬明細書を受け付けるシステムに適合するように編集するコンピュータを、前記診療報酬明細書を構成する罫線情報からその診療報酬明細書の書式を認識する手段と、前記診療報酬明細書を構成するテキスト情報からコード変換すべきテキストを抽出する手段と、前記テキストを所定のコードに変換する手段と、前記コードを含む診療報酬明細書を出力する手段として機能させることを特徴とする診療報酬明細書の処理システムに用いられるプログラム。
【請求項５】
診療報酬明細書のデータ形式を、診療報酬明細書を受け付けるシステムに適合するように編集する処理システムであって、
前記診療報酬明細書について罫線情報、及び、テキスト情報からなる編集用データを取得する手段と、前記編集用データに含まれる前記罫線情報から前記診療報酬明細書の書式を識別する手段と、前記識別した書式に則って前記テキスト情報を割り付ける手段とを備えることを特徴とする診療報酬明細書の処理システム。
【請求項６】
診療報酬明細書のデータ形式を、診療報酬明細書を受け付けるシステムに適合するように編集する処理システムであって、
前記診療報酬明細書について罫線情報、及び、テキスト情報を取得する手段と、前記テキスト情報に含まれるテキストの位置情報に基づいて、コード変換するテキストを識別する手段と、コード変換すべきテキストをコード変換する変換手段と、
前記テキストと前記コードを関連付けるテキストをコードに対応づけする手段とを備えることを特徴とする診療報酬明細書の処理システム。
【請求項７】
診療報酬明細書のデータ形式を、診療報酬明細書を受け付けるシステムに適合するように編集する処理システムであって、
前記診療報酬明細書に含まれる外字について、外字を構成する画像データとその位置を示す位置データを少なくとも含むデータとして取得する手段と、前記画像データをイメージ表示する画面と、表示させたイメージについての候補を選択可能に表示する画面とを表示装置に提供する手段と、前記候補から選択する指示を受けた場合に、前記外字のデータを選択された候補に付与されているコードを含むデータに変換する手段を備えることを特徴とする診療報酬明細書の処理システム。
【請求項８】
コード変換するテキストを識別する手段と、コード変換すべきテキストをコード変換する変換手段と、前記テキストと前記コードを関連付けるテキストをコードに対応づけする手段とを備えることを特徴とする請求項７に記載の診療報酬明細書の処理システム。
【請求項９】
医療機関における独自のデータ形式のレセプトを管理するレセプト管理処理手段と、
前記レセプト管理処理手段からの印刷命令を受け取った後にレセプトデータのうち枠構造を抽出する手段と、前記枠構造とテキストとを関連付けて前記レセプトデータを解析する手段と、前記解析に基づいて前記レセプトデータのテキストデータから変換すべきテキストデータを抽出する手段と、前記抽出したテキストデータをコード変換するコード変換手段と、前記変換されたコードデータをレセプトデータとして出力する手段とを有することを特徴とする医療機関におけるレセプトデータ編集処理システム。
【請求項１０】
入力装置からレセプト情報を入力し、前記入力した前記レセプト情報を記憶装置に記憶し、レセプトの編集用レセプトデータを出力する場合には、印刷メニュー画面を表示装置に出力し、前記印刷メニュー画面に表示された仮想プリンタの選択指示を受け、罫線情報とテキスト情報からなる編集用レセプトデータを外部記憶装置の記録媒体もしくは通信網に出力し、前記編集用レセプトデータ以外のデータを出力する場合であれば印刷メニュー画面で出力先プリンタの選択指示を受け印刷処理を実行することを特徴とする医療機関におけるコンピュータ処理方法。
【手続補正書】
【提出日】平成15年12月10日(2003.12.10)
【手続補正１】
【補正対象書類名】明細書
【補正対象項目名】特許請求の範囲
【補正方法】変更
【補正の内容】
【特許請求の範囲】
【請求項１】
ａ）境界信号が主として境界を規定する軸に沿って送信される持ち運び可能な境界信号送信機と、
ｂ）移動ロボットと、を備え、
ｃ）前記移動ロボットは、少なくとも一方向に回転するための回転手段、境界信号検出器、および、前記回転手段を制御する制御ユニットを備え、
ｄ）前記制御ユニットは、前記境界信号を検出すると該境界信号を回避するアルゴリズムを実行し、該アルゴリズムは、前記境界信号が検出されなくなるまで前記ロボットを回転させるステップを備えることを特徴とするロボット閉じ込めシステム。
【請求項２】
請求項１に記載のロボット閉じ込めシステムにおいて、前記アルゴリズムは、さらに、前記境界信号が検出されなくなった後、少なくとも所定の量だけ回転させるステップを備えることを特徴とするロボット閉じ込めシステム。
【請求項３】
請求項２に記載のロボット閉じ込めシステムにおいて、前記アルゴリズムは、さらに、普通は時計方向または反時計方向のどちらに回転させるかを決定するステップを備えることを特徴とするロボット閉じ込めシステム。
【請求項４】
請求項３に記載のロボット閉じ込めシステムにおいて、前記普通は時計方向または反時計方向のどちらに回転させるかを決定するステップは、さらに、方向をランダムに選択する機能を備えることを特徴とするロボット閉じ込めシステム。
【請求項５】
請求項４に記載のロボット閉じ込めシステムにおいて、前記普通は時計方向または反時計方向のどちらに回転させるかを決定するステップは、さらに、方向がランダムに選択される前に、少なくとも２回は同じ方向に回転させるステップを備えることを特徴とするロボット閉じ込めシステム。
【請求項６】
請求項３に記載のロボット閉じ込めシステムにおいて、前記普通は時計方向または反時計方向のどちらに回転させるかを決定するステップは、さらに、前記境界信号を複数の方位で検出するステップを備えることを特徴とするロボット閉じ込めシステム。
【請求項７】
請求項６に記載のロボット閉じ込めシステムにおいて、前記アルゴリズムは、前記境界信号が最も小さくなる方位へ回転させるステップを備えることを特徴とするロボット閉じ込めシステム。
【請求項８】
請求項１に記載のロボット閉じ込めシステムにおいて、前記設置された境界信号送信機は、２つの信号放射器を備え、第１の信号放射器は平行化されたものであり、第２の信号放射器は実質的に全方向性であることを特徴とするロボット閉じ込めシステム。
【請求項９】
請求項１に記載のロボット閉じ込めシステムにおいて、前記境界信号送信機は、赤外線の周波数における変調された信号を放射することを特徴とするロボット閉じ込めシステム。
【請求項１０】
請求項９に記載のロボット閉じ込めシステムにおいて、前記境界信号検出器は、実質的に全方向性であることを特徴とするロボット閉じ込めシステム。
【請求項１１】
請求項１０に記載のロボット閉じ込めシステムにおいて、前記境界信号検出器は、前記ロボットの上部に、該検出器が実質的に陰に入らないように配置されることを特徴とするロボット閉じ込めシステム。
【請求項１２】
請求項１に記載のロボット閉じ込めシステムにおいて、前記ロボットは、さらに、複数の境界信号検出器を備えることを特徴とするロボット閉じ込めシステム。
【請求項１３】
請求項１に記載のロボット閉じ込めシステムにおいて、前記持ち運び可能な境界信号送信機は、さらに、反射検出器を備え、該境界信号送信機は複数の信号を送信し、前記反射検出器で信号が検出されなくなると、前記信号の少なくとも１つが送信されることを特徴とするロボット閉じ込めシステム。
【請求項１４】
請求項１に記載のロボット閉じ込めシステムにおいて、前記境界信号は、少なくとも前記ロボットの回転半径の幅になっていることを特徴とするロボット閉じ込めシステム。
【請求項１５】
ａ）境界信号が主として境界を規定する軸に沿って送信される持ち運び可能な境界信号送信機と、
ｂ）移動ロボットとを備え、
ｃ）前記移動ロボットは、少なくとも一方向に回転するための回転手段、境界信号検出器、および、前記回転手段を制御する制御ユニットを備え、
ｄ）前記制御ユニットは、前記境界信号を受信すると該境界信号を回避するアルゴリズムを実行し、該アルゴリズムは、前記境界信号が検出されなくなるまで前記ロボットを直前に移動していた方向に対して反転させるステップを備えることを特徴とするロボット閉じ込めシステム。
【請求項１６】
ａ）本質的に直線状の境界を提供する持ち運び可能な境界信号を設けるステップと、
ｂ）前記ロボット上に位置するセンサを設け、該センサが前記境界信号を検出するステップと、
ｃ）前記ロボットに、該ロボットが少なくとも一方向に回転可能となるように移動手段を設けるステップと、
ｄ）前記ロボットが新たな方向へ移動することで前記センサが前記境界信号を検出すると、前記境界信号を回避するステップと、を備えることを特徴とするロボットを空間内に閉じ込める方法。
【請求項１７】
請求項１６に記載の方法において、前記境界信号は、赤外線の周波数における変調された信号であることを特徴とする方法。
【請求項１８】
請求項１７に記載の方法において、前記センサは、実質的に全方向性であることを特徴とする方法。
【請求項１９】
請求項１８に記載の方法において、前記境界信号は、少なくとも前記ロボットの回転半径の幅になっていることを特徴とする方法。
【請求項２０】
移動ロボットであって、
前記ロボットは、少なくとも一方向に回転するための回転手段、境界信号検出器、および、前記回転手段を制御する制御ユニットを備え、
前記制御ユニットは、前記境界信号を検出すると該境界信号を回避するアルゴリズムを実行し、該アルゴリズムは、前記境界信号が検出されなくなるまで前記ロボットを回転させるステップを備えることを特徴とする移動ロボット。
【手続補正書】
【提出日】平成16年1月28日(2004.1.28)
【手続補正１】
【補正対象書類名】明細書
【補正対象項目名】特許請求の範囲
【補正方法】変更
【補正の内容】
【特許請求の範囲】
【請求項１】
光学情報に照明光を投光する投光手段と、前記光学的情報からの反射光を受光して結象する結像手段と、前記結像手段により結像された前記光学的情報の画像情報を電気信号に変換するイメージセンサと、前記電気信号を信号処理して前記光学的情報のデコード処理を行う信号処理手段とを具備し、あらかじめ設定された情報にもとづいて、イメージセンサの露光時間と信号処理手段の電気信号増幅の制御方法を切り替える光学的情報読取装置。
【請求項２】
光学情報に照明光を投光する投光手段と、前記光学的情報からの反射光を受光して結象する結像手段と、前記結像手段により結像された前記光学的情報の画像情報を電気信号に変換するイメージセンサと、前記電気信号を信号処理して前記光学的情報のデコード処理を行う信号処理手段とを具備し、あらかじめ設定された情報にもとづいて、前記投光手段の照明の点灯方法、イメージセンサの露光時間と信号処理手段の電気信号増幅の制御方法を切り替える光学的情報読取装置。
【請求項３】
標準パターンを読み込むことにより、最適な設定値を求め、この設定内容を記憶することができる請求項１または２いずれかに光学的情報読取装置。
【手続補正２】
【補正対象書類名】明細書
【補正対象項目名】０００３
【補正方法】変更
【補正の内容】
【０００３】
【発明が解決しようとする課題】
近年、携帯電話機の液晶画面に表示された２次元コードなどの光学的情報の読み取りが試みられている。しかし、さまざまな携帯電話の液晶画面は非常に種類が多く、また読取機のハード的な特性のばらつきのため同一の画像取り込み方法では、これら多くの液晶画面上の２次元コードの読取を行うことは困難であった。また、出荷時に一定の読取条件であっても、時間が経過すると照明ＬＥＤ等の径時変化により読取性能の低下が起きた。


【手続補正３】
【補正対象書類名】明細書
【補正対象項目名】０００４
【補正方法】変更
【補正の内容】
【０００４】
【課題を解決するための手段】
本発明は上記の課題を解決するためになされたもので、本発明第１の光学的情報読取装置は、光学情報に照明光を投光する投光手段と、前記光学的情報からの反射光を受光して結象する結像手段と、前記結像手段により結像された前記光学的情報の画像情報を電気信号に変換するイメージセンサと、前記電気信号を信号処理して前記光学的情報のデコード処理を行う信号処理手段とを具備し、あらかじめ設定された情報にもとづき、イメージセンサの露光時間と信号処理手段の電気信号増幅の制御方法も切り替える。


【手続補正４】
【補正対象書類名】明細書
【補正対象項目名】００１６
【補正方法】変更
【補正の内容】
【００１６】
【発明の効果】
本発明第１の光学的情報読取装置によれば、あらかじめ設定された情報に基づいて照明方法、イメージセンサの露光時間、ゲインを変更するので、あらゆる条件の携帯電話の液晶画面に表示された２次元コードを高速な読取ることが可能となる。


【手続補正５】
【補正対象書類名】明細書
【補正対象項目名】００１７
【補正方法】変更
【補正の内容】
【００１７】
本発明第２の光学的情報読取装置によれば、標準的なパターンを読み込むことにより、最適な設定値を求め、設定内容を変更することができるので、ＬＥＤの経時変化等のハード的な変化に対応することができる。
【手続補正書】
【提出日】平成15年12月12日(2003.12.12)
【手続補正１】
【補正対象書類名】明細書
【補正対象項目名】請求項１
【補正方法】変更
【補正の内容】
【請求項１】
少なくとも可視領域を含む波長の光を発光する第１の光源及び非可視領域の波長の光を発光する第２の光源を搭載した光源ユニットと、
前記光源ユニットによって照明された被写体像を光学系を介して撮像素子上に結像させる画像読取ユニットと、
前記光源ユニット及び前記画像読取ユニットと前記被写体とを相対的に副走査方向に移動させることによって前記第１の光源により照明された前記被写体像の画像情報と前記第２の光源により照明された前記被写体像の画像情報とを取得する情報読取手段とを具備し、
前記光源ユニットは、前記第１の光源と前記第２の光源とが副走査方向に並べて設けられることを特徴とする画像読取装置。
【手続補正２】
【補正対象書類名】明細書
【補正対象項目名】請求項１２
【補正方法】変更
【補正の内容】
【請求項１２】
少なくとも可視領域を含む波長の光を発光する第１の光源及び非可視領域の波長の光を発光する第２の光源とを搭載した光源ユニットと、前記光源ユニットによって照明された被写体像を光学系を介して撮像素子上に結像させる画像読取ユニットとを備え、前記光源ユニットは、前記第１の光源と前記第２の光源とが副走査方向に並べて設けられる画像読取装置の制御方法であって、
前記光源ユニット及び前記画像読取ユニットと前記被写体とを相対的に副走査方向に移動させることによって前記第１、第２の光源により順次照明された前記被写体像の画像情報をそれぞれ取得する情報読取手順を有することを特徴とする画像読取装置の制御方法。
【手続補正３】
【補正対象書類名】明細書
【補正対象項目名】請求項１６
【補正方法】変更
【補正の内容】
【請求項１６】
少なくとも可視領域を含む波長の光を発光する第１の光源及び非可視領域の波長の光を発光する第２の光源を搭載した光源ユニットと、前記光源ユニットによって照明された被写体像を光学系を介して撮像素子上に結像させる画像読取ユニットとを備え、前記光源ユニットは、前記第１の光源と前記第２の光源とが副走査方向に並べて設けられる画像読取装置を制御するためのプログラムであって、
前記光源ユニット及び前記画像読取ユニットと前記被写体とを相対的に副走査方向に移動させることによって前記第１、第２の光源により順次照明された前記被写体像の画像情報をそれぞれ取得する情報読取処理をコンピュータに実行させることを特徴とするプログラム。
【手続補正４】
【補正対象書類名】明細書
【補正対象項目名】０００６
【補正方法】変更
【補正の内容】
【０００６】
【課題を解決するための手段】
本発明の画像読取装置は、少なくとも可視領域を含む波長の光を発光する第１の光源及び非可視領域の波長の光を発光する第２の光源を搭載した光源ユニットと、前記光源ユニットによって照明された被写体像を光学系を介して撮像素子上に結像させる画像読取ユニットと、前記光源ユニット及び前記画像読取ユニットと前記被写体とを相対的に副走査方向に移動させることによって前記第１の光源により照明された前記被写体像の画像情報と前記第２の光源により照明された前記被写体像の画像情報とを取得する情報読取手段とを具備し、前記光源ユニットは、前記第１の光源と前記第２の光源とが副走査方向に並べて設けられる点に特徴を有する。


【手続補正５】
【補正対象書類名】明細書
【補正対象項目名】０００７
【補正方法】変更
【補正の内容】
【０００７】
本発明の画像読取装置の制御方法は、少なくとも可視領域を含む波長の光を発光する第１の光源及び非可視領域の波長の光を発光する第２の光源とを搭載した光源ユニットと、前記光源ユニットによって照明された被写体像を光学系を介して撮像素子上に結像させる画像読取ユニットとを備え、前記光源ユニットは、前記第１の光源と前記第２の光源とが副走査方向に並べて設けられる画像読取装置の制御方法であって、
前記光源ユニット及び前記画像読取ユニットと前記被写体とを相対的に副走査方向に移動させることによって前記第１、第２の光源により順次照明された前記被写体像の画像情報をそれぞれ取得する情報読取手順を有する点に特徴を有する。


【手続補正６】
【補正対象書類名】明細書
【補正対象項目名】０００８
【補正方法】変更
【補正の内容】
【０００８】
本発明のプログラムは、少なくとも可視領域を含む波長の光を発光する第１の光源及び非可視領域の波長の光を発光する第２の光源を搭載した光源ユニットと、前記光源ユニットによって照明された被写体像を光学系を介して撮像素子上に結像させる画像読取ユニットとを備え、前記光源ユニットは、前記第１の光源と前記第２の光源とが副走査方向に並べて設けられる画像読取装置を制御するためのプログラムであって、前記光源ユニット及び前記画像読取ユニットと前記被写体とを相対的に副走査方向に移動させることによって前記第１、第２の光源により順次照明された前記被写体像の画像情報をそれぞれ取得する情報読取処理をコンピュータに実行させる点に特徴を有する。
【手続補正書】
【提出日】平成15年12月9日(2003.12.9)
【手続補正１】
【補正対象書類名】明細書
【補正対象項目名】特許請求の範囲
【補正方法】変更
【補正の内容】
【特許請求の範囲】
【請求項１】
外部装置から画像データの処理に関する制御指示を受け付ける受付手段と、
前記画像データを処理する画像処理手段と、
前記外部装置に実装されているドライバーソフトが画像データの偽造防止機能を有しているか否かを識別する識別手段と、
偽造防止機能を有していると識別された場合、前記画像処理手段に対して、前記制御指示に基づいて前記画像データを処理させ、偽造防止機能を有していないと識別された場合、前記画像処理手段に対して、所定の条件で前記画像データを処理させる制御手段と
を備えることを特徴とする画像処理装置。
【請求項２】
前記外部装置から前記画像データを入力する入力手段、又は、前記画像処理手段において処理された画像データを前記外部装置に出力する出力手段をさらに備えることを特徴とする請求項１記載の画像処理装置。
【請求項３】
前記偽造防止機能が、前記画像データから特定の電子透かし情報を検出することによって偽造を防止する機能、或いは、前記画像データから得られた特徴と予め設定された特定画像の特徴との類似度を算出することによって偽造を防止する機能であることを特徴とする請求項１又は２に記載の画像処理装置。
【請求項４】
前記識別手段は、前記ドライバーソフトが前記外部装置についての純正ドライバーソフトであるか否かを識別することによって、前記画像データの偽造防止機能の有無を識別することを特徴とする請求項１から３までのいずれか１項に記載の画像処理装置。
【請求項５】
前記識別手段が、前記ドライバーソフトのバージョン情報に基づいて、前記画像データの識別防止機能の有無を識別することを特徴とする請求項１から４までのいずれか１項に記載の画像処理装置。
【請求項６】
偽造防止機能を有していないと識別された場合、前記制御手段が、前記画像処理手段に対して、前記画像データの画質を制限するように処理させることを特徴とする請求項１又は２に記載の画像処理装置。
【請求項７】
前記画像データの画質の制限が、解像度の制限であることを特徴とする請求項６記載の画像処理装置。
【請求項８】
前記画像データの画質を制限する旨を表示する表示手段をさらに備えることを特徴とする請求項６又は７に記載の画像処理装置。
【請求項９】
偽造防止機能を有していないと識別された場合、警告メッセージを画面表示する画面表示手段、又は、警告メッセージを印刷表示する印刷手段をさらに備えることを特徴とする請求項１から８までのいずれか１項に記載の画像処理装置。
【請求項１０】
画像データを処理する画像処理手段を備える画像処理装置の制御方法であって、
外部装置から前記画像データの処理に関する制御指示を受け付ける受付工程と、
前記外部装置に実装されているドライバーソフトが画像データの偽造防止機能を有しているか否かを識別する識別工程と、
偽造防止機能を有していると識別された場合、前記画像処理手段に対して、前記制御指示に基づいて前記画像データを処理させ、偽造防止機能を有していないと識別された場合、前記画像処理手段に対して、所定の条件で前記画像データを処理させる制御工程と
を有することを特徴とする画像処理装置の制御方法。
【請求項１１】
前記外部装置から前記画像データを入力する入力工程、又は、前記画像処理手段において処理された画像データを前記外部装置に出力する出力工程をさらに有することを特徴とする請求項１０記載の画像処理装置の制御方法。
【請求項１２】
前記偽造防止機能が、前記画像データから特定の電子透かし情報を検出することによって偽造を防止する機能、或いは、前記画像データから得られた特徴と予め設定された特定画像の特徴との類似度を算出することによって偽造を防止する機能であることを特徴とする請求項１０又は１１に記載の画像処理装置の制御方法。
【請求項１３】
前記識別工程は、前記ドライバーソフトが前記外部装置についての純正ドライバーソフトであるか否かを識別することによって、前記画像データの偽造防止機能の有無を識別することを特徴とする請求項１０から１２までのいずれか１項に記載の画像処理装置の制御方法。
【請求項１４】
前記識別工程が、前記ドライバーソフトのバージョン情報に基づいて、前記画像データの識別防止機能の有無を識別することを特徴とする請求項１０から１３までのいずれか１項に記載の画像処理装置の制御方法。
【請求項１５】
偽造防止機能を有していないと識別された場合、前記制御工程が、前記画像処理手段に対して、前記画像データの画質を制限するように処理させることを特徴とする請求項１０又は１１に記載の画像処理装置の制御方法。
【請求項１６】
前記画像データの画質の制限が、解像度の制限であることを特徴とする請求項１５記載の画像処理装置の制御方法。
【請求項１７】
前記画像データの画質を制限する旨を表示させる表示工程をさらに有することを特徴とする請求項１５又は１６に記載の画像処理装置の制御方法。
【請求項１８】
偽造防止機能を有していないと識別された場合、警告メッセージを画面表示させる画面表示工程、又は、警告メッセージを印刷表示させる印刷工程をさらに有することを特徴とする請求項１０から１７までのいずれか１項に記載の画像処理装置の制御方法。
【請求項１９】
画像データを処理する画像処理手段に接続可能なコンピュータに、
外部装置から前記画像データの処理に関する制御指示を受け付ける受付手順と、
前記外部装置に実装されているドライバーソフトが画像データの偽造防止機能を有しているか否かを識別する識別手順と、
偽造防止機能を有していると識別された場合、前記画像処理手段に対して、前記制御指示に基づいて前記画像データを処理させ、偽造防止機能を有していないと識別された場合、前記画像処理手段に対して、所定の条件で前記画像データを処理させる制御手順と
を実行させるためのプログラム。
【請求項２０】
請求項１９に記載のプログラムを格納したことを特徴とするコンピュータ読み取り可能な記録媒体。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】削除
【補正の内容】
【手続補正書】
【提出日】平成16年1月16日(2004.1.16)
【手続補正１】
【補正対象書類名】明細書
【補正対象項目名】特許請求の範囲
【補正方法】変更
【補正の内容】
【特許請求の範囲】
【請求項１】
電気−機械エネルギー変換素子が結合された弾性体からなる振動子と、前記振動子の表面に接触する移動子と、前記振動子を貫通して前記振動子を固定する支持部材とを備え、前記電気−機械エネルギー変換素子に交番信号を印加することにより前記振動子の表面に振動波を発生させて前記移動子を移動させる振動波駆動装置において、
前記振動子は前記電気−機械エネルギー変換素子が結合された面と反対側に位置する面で前記移動子と接触し、前記移動子が接触する面には突出部が形成され、前記突出部が前記移動子の内径部と対向することを特徴する振動波駆動装置。
【請求項２】
前記突出部は前記電気−機械エネルギー変換素子が結合された振動子の面に対して垂直な方向に突出していることを特徴とする請求項１に記載の振動波駆動装置。
【請求項３】
前記振動子は前記電気−機械エネルギー変換素子が結合された弾性体と、前記突出部を形成する弾性体とを結合したものであることを特徴とする請求項１または２に記載の振動波駆動装置。
【請求項４】
前記電気−機械エネルギー変換素子が結合された弾性体と、前記突出部を形成する弾性体はそれぞれの内部を貫通する前記支持部材によって固定されていることを特徴とする請求項３に記載の振動波駆動装置。
【請求項５】
前記移動子は前記支持部材を中心として回転することを特徴とする請求項４に記載の振動波駆動装置。
【請求項６】
前記電気−機械エネルギー変換素子に交番信号が印加されると、前記振動子は前記電気−機械エネルギー変換素子が結合された面に対して垂直方向に変位する複数の曲げ振動と、平行方向に変位する複数の曲げ振動とを発生することを特徴とする請求項１から５のいずれかに記載の振動波駆動装置。
【手続補正２】
【補正対象書類名】明細書
【補正対象項目名】００１５
【補正方法】変更
【補正の内容】
【００１５】
【課題を解決するための手段】
上記課題を解決するため、本願の請求項１に係る発明は、電気−機械エネルギー変換素子が結合された弾性体からなる振動子と、振動子の表面に接触する移動子と、前記振動子を貫通して前記振動子を固定する支持部材とを備え、電気−機械エネルギー変換素子に交番信号を印加することにより振動子の表面に振動波を発生させて移動子を移動させる振動波駆動装置において、振動子は電気−機械エネルギー変換素子が結合された面と反対側に位置する面で移動子と接触し、移動子が接触する面には突出部が形成され、突出部が移動子の内径部と対向することを特徴するものである。


【手続補正３】
【補正対象書類名】明細書
【補正対象項目名】００１６
【補正方法】変更
【補正の内容】
【００１６】
同様に上記課題を解決するため、本願の請求項２に係る発明は、請求項１に係る振動波駆動装置において、突出部は電気−機械エネルギー変換素子が結合された振動子の面に対して垂直な方向に突出していることを特徴とするものである。


【手続補正４】
【補正対象書類名】明細書
【補正対象項目名】００１７
【補正方法】変更
【補正の内容】
【００１７】
同様に上記課題を解決するため、本願の請求項３に係る発明は、請求項１または２に係る振動波駆動装置において、振動子は電気−機械エネルギー変換素子が結合された弾性体と、突出部を形成する弾性体とを結合したものであることを特徴とするものである。
同様に上記課題を解決するため、本願の請求項４に係る発明は、請求項３に係る振動波駆動装置において、電気−機械エネルギー変換素子が結合された弾性体と、突出部を形成する弾性体はそれぞれの内部を貫通する支持部材によって固定されていることを特徴とするものである。
同様に上記課題を解決するため、本願の請求項５に係る発明は、請求項４に係る振動波駆動装置において、移動子は支持部材を中心として回転することを特徴とするものである。
同様に上記課題を解決するため、本願の請求項６に係る発明は、請求項１から４のいずれかに係る振動波駆動装置において、電気−機械エネルギー変換素子に交番信号が印加されると、振動子は電気−機械エネルギー変換素子が結合された面に対して垂直方向に変位する複数の曲げ振動と、平行方向に変位する複数の曲げ振動とを発生することを特徴とするものである。
【手続補正書】
【提出日】平成15年6月24日(2003.6.24)
【手続補正１】
【補正対象書類名】明細書
【補正対象項目名】００１７
【補正方法】変更
【補正の内容】
【００１７】
上杭本体７は、外径Ｄ１  、内径Ｄ３  （前記Ｄ２  より大きい）で、中空部９を有し、前記下杭１の上端板４と同一の内外径を有する下端板１０を嵌装し、コンクリートで形成されている。前記下端板１０（内径Ｄ２  ）も補強筒１１を有し、下端板１０と補強筒１１とにリブ１４、１４が固着されている。また、上端板１２は同様に（内径Ｄ３  ）補強筒１３を有する。また、前記下端板１０の内周１０ａ側に、鋼管案内用の短筒１５を突設する。また、前記上杭本体７の高さＨは５〜１５ｍ程度とする。


【手続補正２】
【補正対象書類名】明細書
【補正対象項目名】００３４
【補正方法】変更
【補正の内容】
【００３４】
【発明の効果】
所定の耐力を有する杭に、短期的な鉛直荷重に耐えられる補助杭を固定したので、基礎杭にクラックが生じた場合の補修に際し、ジャッキなどの建造物を支える為の別途の手段を着脱する手間を省き、補修を効率よくできる効果がある。また、補助杭を固定したので、基礎杭全体の強度を増すこともでき、取り分け、補助杭により、クラック位置でのコンクリートの崩壊によるコンクリート杭の鉄筋の座屈を防止できる効果がある。
【手続補正書】
【提出日】平成16年1月27日(2004.1.27)
【手続補正１】
【補正対象書類名】明細書
【補正対象項目名】特許請求の範囲
【補正方法】変更
【補正の内容】
【特許請求の範囲】
【請求項１】
端板間にディスプレーサとシリンダとを配置し、回転軸の回転中心に前記ディスプレーサ中心を合わせたとき前記シリンダ内壁面及び前記ディスプレーサ外壁面により１つの空間が形成され、前記ディスプレーサ及び前記シリンダとの位置関係を旋回位置においたときは複数の空間が形成される容積型流体機械において、前記シリンダ内壁面と前記ディスプレーサ外壁面と端板とで囲まれた前記複数の空間の内、吸入が終了し吐出が終了するまでの行程となっている空間の数の最大値が、前記シリンダ内方に向かって突出する突出部の数以上となる容積型流体機械。
【請求項２】
端板間にディスプレーサとシリンダとを配置し、回転軸の回転中心に前記ディスプレーサ中心を合わせたとき前記シリンダ内壁面及び前記ディスプレーサ外壁面により１つの空間が形成され、前記ディスプレーサ及び前記シリンダとの位置関係を旋回位置においたときは複数の空間が形成される容積型流体機械において、前記複数の空間の内、吸入が終了し吐出が終了するまでの行程の軸回転角θｃが下式を満たす前記シリンダ内壁面及び前記ディスプレーサ外壁面の曲線を備えた容積型流体機械。
（（（Ｎ−１）／Ｎ）・３６０゜）＜θｃ≦３６０゜
ただし、Ｎは前記シリンダ内方に向かって突出する突出部の数である。
【請求項３】
端板間にディスプレーサとシリンダとを配置し、回転軸の回転中心に前記ディスプレーサ中心を合わせたとき前記シリンダ内壁面及び前記ディスプレーサ外壁面により１つの空間が形成され、前記ディスプレーサ及び前記シリンダとの位置関係を旋回位置においたときは複数の空間が形成される容積形型体機械において、前記ディスプレーサを旋回させて作動流体を圧縮したとき、圧縮による荷重ベクトルがほぼ駆動軸に向くように前記シリンダの内壁面の形状及び前記ディスプレーサの外壁面の形状を備えた容積型流体機械。
【請求項４】
断面形状が連続した曲線で構成される内壁を有するシリンダと、このシリンダの内壁に対向するように設けられた外壁を有し、旋回運動したとき前記内壁とこの外壁とで複数の空間を形成するディスプレーサとを備えた容積型流体機械において、前記シリンダ内壁面と前記ディスプレーサ外壁面と端板とで囲まれた前記複数の空間が、前記作動流体を吸入する空間の間に、前記作動流体を圧縮若しくは吐出する空間である容積型流体機械。
【請求項５】
断面形状が連続した曲線で構成される内壁を有するシリンダと、このシリンダの内壁に対向するように設けられた外壁を有し、旋回運動したとき前記内壁とこの外壁とで複数の空間を形成するディスプレーサと、前記空間に連通する吸込みポートと、前記空間に連通する吐出ポートとを備えた容積型流体機械において、前記吸込みポートと前記吐出ポートとが前記空間を介して連通しない前記シリンダ内壁及び前記ディスプレーサ外壁の曲線を備えた容積型流体機械。
【請求項６】
断面形状が連続した曲線で構成される内壁を有するシリンダと、このシリンダの内壁に対向するように設けられた外壁を有し、旋回運動したとき前記内壁とこの外壁とで複数の空間を形成するディスプレーサと、前記空間に連通する吸込みポートと、前記空間に連通する吐出ポートとを備えた容積型流体機械において、前記作動流体を吐出する吐出ポートを挟んで隣接する作動室の流体を夫々異なる吸入ポートから吸入する前記シリンダ内壁及び前記ディスプレーサ外壁曲線を備えた容積型流体機械。
【請求項７】
断面形状が連続した曲線で構成される内壁を有するシリンダと、このシリンダの内壁に対向するように設けられた外壁を有し、旋回運動したとき前記内壁とこの外壁とで複数の空間を形成するディスプレーサと、前記空間に連通する吸込みポートと、前記空間に連通する吐出ポートとを備えた容積型流体機械において、吐出が終了した時点におけるシール点に隣接する空間が１つの空間を形成して圧縮行程若しくは吐出行程となる前記シリンダ内壁及び前記ディスプレーサ外壁曲線を備えた容積型流体機械。
【請求項８】
断面形状が連続した曲線で構成される内壁を有するシリンダと、このシリンダの内壁に対向するように設けられた外壁を有し、旋回運動したとき前記内壁とこの外壁とで複数の空間を形成するディスプレーサと、前記空間に連通する吸込みポートと、前記空間に連通する吐出ポートとを備えた容積型流体機械において、前記ディスプレーサ外壁と前記シリンダ内壁とで形成される空間のうち吸入行程にある空間が分離して、夫々異なる圧縮若しくは吐出行程となる空間となる前記シリンダ内壁及び前記ディスプレーサ外壁曲線を備えた容積型流体機械。
【請求項９】
断面形状が連続した曲線で構成される内壁を有するシリンダと、このシリンダの内壁に対向するように設けられた外壁を有し、旋回運動したとき前記内壁とこの外壁とで複数の空間を形成するディスプレーサとを備えた容積型流体機械において、前記ディスプレーサの輪郭に沿って存在する前記空間は、交互に吸入行程にある空間と圧縮若しくは吐出行程にある空間となる前記シリンダ内壁及び前記ディスプレーサ外壁の曲線を備えた容積型流体機械。
【請求項１０】
断面形状が連続した曲線で構成される内壁を有するシリンダと、このシリンダの内壁に対向するように設けられた外壁を有し、旋回運動したとき前記内壁とこの外壁とで複数の空間を形成するディスプレーサと、このディスプレーサを駆動する駆動軸とを備えた容積型流体機械において、前記ディスプレーサの外壁面と異なる面同士を貫通する穴を前記駆動軸を挿入する穴以外に設けた容積型流体機械。
【請求項１１】
端板間にディスプレーサとシリンダとを配置し、回転軸の回転中心に前記ディスプレーサ中心を合わせたとき前記シリンダ内壁面及び前記ディスプレーサ外壁面により１つの空間が形成され、前記ディスプレーサ及び前記シリンダとの位置関係を旋回位置においたときは複数の空間が形成される容積型流体機械において、前記シリンダ内壁と前記ディスプレーサ外壁により形成される空間が作動流体を吸入終了時点にある空間であるとき、接点間に形成される前記シリンダ及びディスプレーサの輪郭形状が、内壁曲線の巻角及び外壁曲線の巻角がともにほぼ３６０゜の曲線を備えた容積型流体機械。
【請求項１２】
端板間にディスプレーサとシリンダとを配置し、回転軸の回転中心に前記ディスプレーサ中心を合わせたとき前記シリンダ内壁面及び前記ディスプレーサ外壁面により１つの空間が形成され、前記ディスプレーサ及び前記シリンダとの位置関係を旋回位置においたときは複数の空間が形成される容積型流体機械において、作動流体の吸入終了から吐出終了までの駆動軸の回転角度がほぼ３６０°となる作動室を、駆動軸の周りの同一平面上に少なくとも２箇所形成される前記ディスプレーサ外壁及び前記シリンダ内壁を備えた容積型流体機械。
【請求項１３】
ディスプレーサの中心に位置する軸受周りに複数の貫通穴を形成し、この貫通穴を加工治具への取付けの位置決め基準とし、外周輪郭の切削・研削加工等を行うディスプレーサの製造方法。
【手続補正書】
【提出日】平成15年9月16日(2003.9.16)
【手続補正１】
【補正対象書類名】明細書
【補正対象項目名】特許請求の範囲
【補正方法】変更
【補正の内容】
【特許請求の範囲】
【請求項１】
基板の表面に凹凸パターンが形成された半導体ウエハを、砥粒とこれら砥粒を保持するための物質から構成される砥石表面上に押しつけて相対運動させて研磨し、上記凹凸パターンを平坦化する工程を有する半導体装置の製造方法において、
上記研磨中において砥石中の上記砥粒を遊離させる表面活性化処理を行うことにより上記砥粒を砥石から遊離させて研磨することを特徴とする半導体装置の製造方法。
【請求項２】
上記砥石の表面活性化処理は、ブラシを上記砥石に押し付けて行うことを特徴とする請求項１記載の半導体装置の製造方法。
【請求項３】
表面に凹凸パターンが形成された半導体ウエハを、砥粒とこれら砥粒を保持するための物質から構成される砥石表面上に押しつけて相対運動させて研磨し、上記凹凸パターンを平坦化する工程を有する半導体装置の製造方法において、
超音波又は振動数１０ｋＨｚ以上の音波を上記砥石に伝達して上記砥石の表面活性化処理を行うことにより上記砥粒を砥石から遊離させて研磨することを特徴とする半導体装置の製造方法。
【請求項４】
上記研磨の状態を検出し、該検出した値に基づいて、上記砥石を表面活性化処理する条件を制御し、上記砥粒を砥石から遊離させる量を制御して研磨することを特徴とする請求項１または２に記載の半導体装置の製造方法。
【請求項５】
上記検出する研磨の状態は、半導体ウエハの膜厚であり、上記制御は、半導体ウエハを平坦化する工程が終了して後に行うことを特徴とする請求項４記載の半導体装置の製造方法。
【請求項６】
表面に凹凸パターンが形成された半導体ウエハを保持する第１の手段と、
砥粒とこれら砥粒を保持するための物質から構成され、さらに気孔を含み、該気孔は、体積換算で全気孔の９５％の径が１μｍ以下である砥石と、
上記半導体ウエハ表面を上記砥石に押しつけ、相対運動させる第２の手段と、
上記砥石中の上記砥粒を遊離させるためにブラシにより表面活性化処理を行う第３の手段とを有することを特徴とする加工装置。
【請求項７】
表面に凹凸パターンが形成された半導体ウエハを保持する第１の手段と、
砥粒とこれら砥粒を保持するための物質から構成され、さらに気孔を含み、該気孔は、体積換算で全気孔の９５％の径が１μｍ以下である砥石と、
上記半導体ウエハ表面を上記砥石に押しつけ、相対運動させる第２の手段と、
超音波又は振動数１０ｋＨｚ以上の音波を発生する手段と、
上記超音波又は音波を上記砥石に伝達する手段を有することを特徴とする加工装置。
【請求項８】
砥粒と上記砥粒を保持するための物質からなる砥石に、表面活性化処理を施し、上記砥粒を砥石から遊離させ、
上記砥石に、上記砥石の単位面積あたり毎分０．１４ｍｌ／ｃｍ2以下の供給量で液を供給し、
上記砥石に半導体ウエハを押しつけながら研磨して、上記半導体ウエハ表面を平坦化する工程を有することを特徴とする半導体装置の製造方法。
【請求項９】
上記表面活性化処理は、上記砥石と接触する長さが０．１ｍｍ以上５ｍｍ以下の範囲内となるような毛の長さのブラシを上記砥石に押しつけて行うことを特徴とする請求項８記載の半導体装置の製造方法。
【請求項１０】
上記表面活性化処理は、超音波又は振動数１０ｋＨｚ以上の音波を上記砥石に伝達して行うことを特徴とする請求項８記載の半導体装置の製造方法。
【請求項１１】
上記表面活性化処理は、第２の砥粒と第２の砥粒を保持するための第２の物質から構成される第２の砥石である固体砥粒供給源から上記砥石表面に砥粒を供給して行うことを特徴とする請求項８記載の半導体装置の製造方法。
【請求項１２】
上記表面活性化処理は、砥粒を含む液体のゲル又はエアロゾルから上記砥石表面に砥粒を供給して行うことを特徴とする請求項８記載の半導体装置の製造方法。
【請求項１３】
上記表面活性化処理と上記平坦化処理を、同時に行うことを特徴とする請求項８に記載の半導体装置の製造方法。
【請求項１４】
砥粒と上記砥粒を保持するための物質からなる砥石に、表面活性化処理を施し、上記砥粒を砥石から遊離させ、
上記砥石に、前記砥石表面に対して定寸法の切り込みを行うことにより前記砥石表面の高さを一定にするツルーイング処理を行い、
上記砥石に半導体ウエハを押しつけながら研磨して、上記半導体ウエハ表面を平坦化する工程を有することを特徴とする半導体装置の製造方法。
【請求項１５】
上記ツルーイング処理により、上記砥石の平坦度は１０μｍ以下とされることを特徴とする請求項１４記載の半導体装置の製造方法。
【請求項１６】
半導体基板上に、表面に凹凸を有する膜を形成する工程と、
砥粒と上記砥粒を保持するための物質からなる砥石に、上記砥粒を遊離させる表面活性化処理を施し、上記砥粒を砥石から遊離させ、
上記砥石に上記半導体基板を押しつけながら上記膜を研磨して前記表面の凹凸を平坦化する工程とを有することを特徴とする半導体装置の製造方法。
【請求項１７】
上記膜は、絶縁膜であることを特徴とする請求項１６記載の半導体装置の製造方法。
【請求項１８】
上記膜は、導電膜であることを特徴とする請求項１６記載の半導体装置の製造方法。
【請求項１９】
半導体基板に、素子分離領域となる溝部を形成する工程と、
上記溝部から上記溝の外周部にかけて、絶縁膜を形成する工程と、
砥粒と上記砥粒を保持するための物質からなる砥石に、上記砥粒を遊離させる表面活性化処理を施しながら、上記砥粒を砥石から遊離させ、上記砥石に上記半導体基板を押しつけながら研磨して、上記絶縁膜を研磨する工程と、
上記素子分離領域以外の領域に、電界効果トランジスタを形成する工程とを有することを特徴とする半導体装置の製造方法。
【請求項２０】
上記表面活性化処理は、上記砥石にブラシを押しつけて行うことを特徴とする請求項１９記載の半導体装置の製造方法。
【請求項２１】
上記表面活性化処理は、超音波又は振動数１０ｋＨｚ以上の音波を上記砥石に伝達して行うことを特徴とする請求項１９記載の半導体装置の製造方法。
【請求項２２】
被研磨物を保持する保持手段と、
砥粒と上記砥粒を保持するための物質からなりさらに気孔を含み、該気孔は、体積換算で全気孔の９５％の径が１μｍ以下である砥石と、
上記被研磨物を上記砥石に押しつけ、相対運動させる手段と、
上記砥粒を遊離させる上記砥石の表面活性化処理を行う手段と、
上記砥石の表面に対して定寸法の切り込みを行うことにより前記砥石表面の高さを一定にする定寸切り込み加工を行う手段とを有することを特徴とする加工装置。
【手続補正書】
【提出日】平成15年3月12日(2003.3.12)
【手続補正１】
【補正対象書類名】明細書
【補正対象項目名】００７９
【補正方法】変更
【補正の内容】
【００７９】
この画像が記録された記録シート１を排出する時には、電源６４からの静電線６１への電圧印加を遮断し、あるいは逆電圧を印加して静電吸着を解除し、円筒１００を逆方向である排出方向に回転して記録シート１の後端部側から排出ガイド３５０により分離して排出する。


【手続補正２】
【補正対象書類名】明細書
【補正対象項目名】符号の説明
【補正方法】変更
【補正の内容】
【符号の説明】
１  記録シート
１００  円筒
２００  プリントヘッド
４２０  第１搬送ローラ対
４３０  第１供給ガイド
Ｃ  静電吸着シート
【手続補正書】
【提出日】平成15年10月16日(2003.10.16)
【手続補正１】
【補正対象書類名】明細書
【補正対象項目名】請求項５
【補正方法】変更
【補正の内容】
【請求項５】
前記有無検知部材は、前記シート積載手段上のシートなし状態に対応して、停止時の前記回転部材の透光スリットを覆って、前記フォトインタラプタの光路を遮光する、
ことを特徴とする請求項４記載のシート給送装置。
【手続補正２】
【補正対象書類名】明細書
【補正対象項目名】００１２
【補正方法】変更
【補正の内容】
【００１２】
請求項５にかかるシート給送装置において、前記有無検知部材は、前記シート積載手段上のシートなし状態に対応して、停止時の前記回転部材の透光スリットを覆って、前記フォトインタラプタの光路を遮光する、ことを特徴とする。